(57)【要約】  【課題】  プレート自体が発光表示可能であると共に、遊技機の状態に応じて店員がプレートを容易に取り付けまたは交換することのできる遊技機における表示装置を提供する。  【解決手段】  各パチンコ機２に対応するパチンコ島台の幕板７箇所に孔１０を穿設し、この孔１０を基準にして支持部６０を幕板７に装着する。そして、この支持部６０に上方からスライドさせて、ＬＥＤが内蔵された本体部４０を取り付け、この本体部４０に表示プレート２５を挿入して、表示プレート２５の挿入端をＬＥＤに臨ませる。表示プレート２５は、アクリル板等で形成されると共に拡散反射特性を含有するインキで所定の文字やデザインが印刷されており、ＬＥＤが発光すると、この光が表示プレート２５の印刷箇所に当たって乱反射し、表示プレート２５に印刷された文字やデザイン箇所が発光する。  【選択図】  図２
2005287987.tif 000002
【特許請求の範囲】
【請求項１】
遊技機の近傍に設けられ、遊技に係わる情報を報知する遊技機における表示装置であって、
該表示装置は、導光板に所定の文字やデザインが施された表示プレートと、少なくとも光源が設けられると共に該表示プレートを挿脱自在に支持するプレート支持手段とを備え、
該プレート支持手段は、前記表示プレートを挿入するための挿入口を備え、
前記表示プレートを該挿入口に挿入したとき、前記表示プレートの一端部が前記光源に臨み前記所定の文字やデザインが発光するようにしたことを特徴とする遊技機における表示装置。
【請求項２】
前記光源は基板に実装された発光ダイオードであり、該基板の実装面には、該発光ダイオードの光を反射可能な反射層が形成されていることを特徴とする請求項１に記載の遊技機における表示装置。
【請求項３】
前記光源を点灯制御する制御手段と、該制御手段の点灯制御を所定の点灯態様に設定する点灯設定手段とを備えたことを特徴とする請求項１または請求項２に記載の遊技機における表示装置。
【請求項４】
前記プレート支持手段は、遊技機が設置される島台側に予め装着される支持部と、該支持部に着脱自在に取り付けられ前記表示プレートを支持する本体部とから成り、該本体部に前記挿入口と前記光源とが設けられていることを特徴とする請求項１乃至請求項３の何れかに記載の遊技機における表示装置。
【請求項５】
前記プレート支持手段は、前記表示プレートを前記挿入口に挿入したとき、前記光源に前記表示プレートが当接するのを回避するストッパ手段を備えていることを特徴とする請求項１乃至請求項４の何れかに記載の遊技機における表示装置。
【請求項６】
前記導光板は、メタクリル樹脂またはアクリル樹脂で形成され、前記所定の文字やデザインは、該導光板に拡散反射特性を含有するインキで直接印刷されていること、または前記所定の文字やデザインが該インキにて印刷されたシートを、該導光板に貼着するようにしたことを特徴とする請求項１乃至請求項５の何れかに記載の遊技機における表示装置。
【請求項７】
前記表示プレートは、第１プレートと第２プレートと反射シートとを備え、該第１プレートと該第２プレートとを該反射シートを挟み込みながら重合して接着形成すると共に、前記所定の文字やデザインは、該反射シートに重なるように該第１プレート及び該第２プレートの内側面に施されていることを特徴とする請求項１乃至請求項６の何れかに記載の遊技機における表示装置。
【請求項８】
前記表示プレートの前記光源に臨む一端部以外の周縁部には、反射テープを貼着したことを特徴とする請求項１乃至請求項７の何れかに記載の遊技機における表示装置。
【発明の詳細な説明】
【技術分野】
【０００１】
本発明は、パチンコ機やスロットマシーン等の遊技機に対応して設けられ、遊技機が大当り状態等になったことを外部に報知する遊技機における表示装置に関する。
【背景技術】
【０００２】
従来より、パチンコ機やスロットマシーン等の遊技機が列設される遊技場においては、例えば遊技機が大当り状態になると、店員がこの遊技機の上方となる島台の幕板や欄間等に、「スタート」や「大当り」と書かれた矩形状のプレートを立てて、当該遊技機が大当り状態になったことを周囲に報知するようにしている。また、空いている遊技機や、遊技場が推奨する遊技機等に対しても、その旨がわかるように該当するプレートが立てられる場合もある。つまり、これらのプレートは、予め所定の文字等が記載された複数種類が用意されており、遊技機の状態によって、該当するものが立てられるようになっている。このプレート表示により遊技場は、遊技客に出球状況をアピールしたり、その他のお知らせしたい情報等を報知すると共に、遊技場の雰囲気を盛り上げるようにしている。
【０００３】
そして、近年、このプレートの装飾効果を高めるために、プレートに光を照射したり、プレート自体を発光させたりする技術が提案されている。例えば、プレートの上下縁部に、複数のＬＥＤからなる電光照明部材を着脱自在に取り付け、プレートに光を照射して装飾効果を高める技術（例えば、特許文献１参照、以下、従来技術１という）や、プレートの内部に３本の異なった色のランプを組み込み、店員がフィーバー種別に応じ、リモコンにて固有の表示方法でプレート自体を点灯する技術（例えば、特許文献２参照、以下、従来技術２という）や、プレートに、基板の表裏にプリント配線を施し且つそのプリント配線上に発光素子（ＬＥＤ）を接合して横長矩形板状のＬＥＤ表示部を設け、制御手段により発光素子（ＬＥＤ）の発光動作を制御して、複数の文字等を表示する技術（例えば、特許文献３参照、以下、従来技術３という）等が開示されている。或いは、最近では、プレートにＥＬ（エレクトロルミネッセンス）素子を設けて所定の文字や数字を発光させる技術（以下、従来技術４という）も開示されている。
【０００４】
【特許文献１】実開平６−４８７７０号公報
【特許文献２】実開平７−３１０８６号公報
【特許文献３】実用新案登録第３００２２７５号公報
【発明の開示】
【発明が解決しようとする課題】
【０００５】
しかし、従来技術１においては、プレート自体が光ることはなく、プレートを外部から照射する構成となっているので、装飾効果は今一で、インパクトにかけ、また、プレートを取り外したり交換するときも、その都度照明体を着脱しなければならず煩わしいという問題点がある。
【０００６】
また、従来技術２においては次の問題点がある。即ちプレート自体は光るものの、スタートプレートの内部にランプがバックライト的に内蔵されているので、厚みが増して嵩張ったり取り扱いに注意を要すると共に、プレートが高価になる。プレートは、通常、遊技機の設置台数に合わせて複数種類用意しなければならず、従い、遊技場にとっては経費が嵩んでデメリットとなる。また、プレート自体に照明体が内蔵されていると、照明体を点灯したり制御するための駆動装置（電源）と電気的に接続することが必須となり、プレートを取り外したり交換するときも、その都度電気的な接続、例えばコネクタやコンセント等を取り外さなければならず煩わしいという問題点もある。
【０００７】
また、従来技術３においては、プレート自体をいわばドットマトリクスＬＥＤ等で構成するもので、従って従来技術２と同様、取り扱いに注意を要すると共に、プレート自体が極めて高価になって遊技場にとっては経費が嵩み、更に前記した駆動装置（電源）と電気的に接続する問題点はあり、プレートの取り外し時や交換時に煩わしい作業が発生する。
【０００８】
また、従来技術４においては、従来技術３のドットマトリクスＬＥＤ等に比べれば安価であるが、依然として前記した駆動装置（電源）と電気的に接続する問題点はあり、更に発光強度が弱く、明るいホール内では不向きであると共にインバータ等の制御装置が必要となり高価となる。
【０００９】
本発明は、このような問題点の少なくとも何れかを解決するためになされたもので、その目的とするところは、プレート自体が発光表示可能であると共に、遊技機の状態に応じて店員がプレートを容易に取り付けまたは交換することのできる遊技機における表示装置を提供することにある。
【課題を解決するための手段】
【００１０】
このような問題を解決するために、本発明の遊技機における表示装置は、請求項１に記載したように、遊技機の近傍に設けられ、遊技に係わる情報を報知する遊技機における表示装置であって、該表示装置は、導光板に所定の文字やデザインが施された表示プレートと、少なくとも光源が設けられると共に該表示プレートを挿脱自在に支持するプレート支持手段とを備え、該プレート支持手段は、前記表示プレートを挿入するための挿入口を備え、前記表示プレートを該挿入口に挿入したとき、前記表示プレートの一端部が前記光源に臨み前記所定の文字やデザインが発光するようにしたことを特徴とする。
【００１１】
また、請求項２の発明は、請求項１に記載の遊技機における表示装置において、前記光源は基板に実装された発光ダイオードであり、該基板の実装面には、該発光ダイオードの光を反射可能な反射層が形成されていることを特徴とする。
【００１２】
また、請求項３の発明は、請求項１または請求項２に記載の遊技機における表示装置において、前記光源を点灯制御する制御手段と、該制御手段の点灯制御を所定の点灯態様に設定する点灯設定手段とを備えたことを特徴とする。
また、請求項４の発明は、請求項１乃至請求項３の何れかに記載の遊技機における表示装置において、前記プレート支持手段は、遊技機が設置される島台側に予め装着される支持部と、該支持部に着脱自在に取り付けられ前記表示プレートを支持する本体部とから成り、該本体部に前記挿入口と前記光源とが設けられていることを特徴とする。
また、請求項５の発明は、請求項１乃至請求項４の何れかに記載の遊技機における表示装置において、前記プレート支持手段は、前記表示プレートを前記挿入口に挿入したとき、前記光源に前記表示プレートが当接するのを回避するストッパ手段を備えていることを特徴とする。
また、請求項６の発明は、請求項１乃至請求項５の何れかに記載の遊技機における表示装置において、前記導光板は、メタクリル樹脂またはアクリル樹脂で形成され、前記所定の文字やデザインは、該導光板に拡散反射特性を含有するインキで直接印刷されていること、または前記所定の文字やデザインが該インキにて印刷されたシートを、該導光板に貼着するようにしたことを特徴とする。
また、請求項７の発明は、請求項１乃至請求項６の何れかに記載の遊技機における表示装置において、前記表示プレートは、第１プレートと第２プレートと反射シートとを備え、該第１プレートと該第２プレートとを該反射シートを挟み込みながら重合して接着形成すると共に、前記所定の文字やデザインは、該反射シートに重なるように該第１プレート及び該第２プレートの内側面に施されていることを特徴とする。
また、請求項８の発明は、請求項１乃至請求項７の何れかに記載の遊技機における表示装置において、前記表示プレートの前記光源に臨む一端部以外の周縁部には、反射テープを貼着したことを特徴とする。
【発明の効果】
【００１３】
従って請求項１の発明によれば、導光板で形成された表示プレートをプレート支持手段の挿入口に挿入し、その挿入した表示プレートの一端部をプレート支持手段に設けられた光源に臨ませるだけの簡単な操作で、表示プレートに施された所定の文字やデザイン自体を発光することができる。即ち表示プレートを電気的に接続することなく、表示プレートの文字やデザイン自体を発光することができるので、その結果、所望の遊技に係わる情報を外部にアピールして報知できると共に、表示プレートの装着や取り外し、或いは交換するとき等の作業を極めて容易にすることができる。なお遊技機としては、パチンコ機、スロットマシーン、アレンジ、雀球等の遊技機が挙げられる。
【００１４】
また請求項２の発明によれば、光源を基板に実装された発光ダイオードとし、この基板の実装面に反射層を形成して発光ダイオードの光を反射するようにしたので、より表示プレートの発光強度が増す。また発光ダイオードを採用することにより、コンパクト、低消費電力、長寿命の表示装置を提供できると共に、発光ダイオードの発光色を選択することで様々な色で表示プレートを発光できる。
【００１５】
また請求項３の発明によれば、点灯設定手段により、制御手段における光源の点灯制御を所定の点灯態様に設定することができるので、複数の点灯態様の中から所望する点灯態様を選択し、この選択した点灯態様にて表示プレートを発光させることができ、遊技に係わる情報別に点灯態様を変化させて報知することができる。即ち遊技に係わる情報を外部によりアピールして報知できる。
【００１６】
また請求項４の発明によれば、プレート支持手段は、支持部と本体部とから成り、遊技機が設置される島台側に予め装着される支持部に、表示プレートを支持すると共に挿入口と光源とが設けられた本体部を着脱自在に取り付けるようにしたので、表示装置の保守点検等が極めて容易になる。
【００１７】
また請求項５の発明によれば、プレート支持手段はストッパ手段を備え、このストッパ手段が、表示プレートを挿入口に挿入したとき、光源に表示プレートが当接するのを回避するようにしたので、適切な位置に表示プレートを配置できると共に、互いの接触による光源や表示プレートの破損等を防止することができる。
【００１８】
また請求項６の発明によれば、所定の文字やデザインは、拡散反射特性を含有するインキでメタクリル樹脂またはアクリル樹脂で形成された導光板に直接印刷するようにしたので、表示プレートに極めて容易に所定の文字やデザインを所望の色合いで施すことができると共に、文字やデザインが施された表示プレート箇所を、より強く発光することができる。ここで、所定の文字やデザインは、導光板に直接印刷する替わりに、この所定の文字やデザインが拡散反射特性を含有するインキにて印刷されたシートを、導光板に貼着するようにしても良い。このようにすると、所定の文字やデザインを、シートを剥がしたり貼ったりするだけの作業で極めて容易に変更することが可能となり、極めて使い勝手が良くなる。なお他の手段として、この印刷に替えて、エッチングにより表示プレートに所定の文字やデザインを施すようにしても良い。
【００１９】
また請求項７の発明によれば、表示プレートは、第１プレートと第２プレートとを、所定の文字やデザインが施された面を内側にして、且つ反射シートを挟み込むようにして重合接着して形成されている。従って、本発明によれば表示プレートの両面を異なる文字（同じ文字列であって読む方向が異なるものも含む）やデザインにて発光させることが可能となる。
【００２０】
また請求項８の発明によれば、反射テープを表示プレートの光源に臨む一端部以外の周縁部に貼着したので、光源から発せられた光が反射テープにより反射することで、より表示プレートの発光強度が増す。
【発明を実施するための最良の形態】
【００２１】
以下に、本発明の１実施例を図を用いて説明する。
【００２２】
図１は、パチンコ島台１の斜視図である。パチンコ島台１には、その縦方向の略中央部に遊技機としてのパチンコ機２が設けられており、パチンコ機２同士の間には、カードや現金等によりパチンコ機２へ遊技球を貸し出しするための台間ユニット３が立設されている。またパチンコ島台１において、パチンコ機２の下方には、水平方向に突出するようにカウンタ４が突設されており、このカウンタ４の下方には腰板５と巾木６とが形成されている。
【００２３】
一方、パチンコ島台１において、パチンコ機２の上方には、幕板７が長手方向の一連全長に亘って形成されており、この幕板７の上方には、略矩形平板状の欄間８が各パチンコ機２にそれぞれ対応して複数設けられている。なお、この欄間８は、その上端部が図示しない蝶番によりパチンコ島台１に取り付けられており、従って開閉自在となっている。この欄間８が開閉自在になっているのは、パチンコ島台１内部の上方に架設されるパチンコ機２にパチンコ球を補給するための補給樋（図示省略）等において、パチンコ球が詰まったりする等のトラブルを解消する、即ちパチンコ島台１の保守点検をするためである。
【００２４】
また、幕板７には、各パチンコ機２にそれぞれ対応して呼出ランプ９が設けられている。この呼出ランプ９は、遊技者が、遊技において何らかのトラブルが発生したとき等に操作して点灯させることで店員を呼び出したり、或いはパチンコ機２が大当り状態になったとき等に自動的に点滅して、このパチンコ機２の大当り状態を店員に報知したり、遊技場内の客にアピールしたりする装置である。更に、本実施例のパチンコ島台１の幕板７には、呼出ランプ９の近傍に本発明の要旨となる表示装置２０が、各パチンコ機２にそれぞれ対応して設けられている。
【００２５】
図２は、表示装置２０の分解斜視図である。表示装置２０は、図２に示すように、表示プレート２５と、この表示プレート２５を支持して発光させる本体部４０と、この本体部４０をパチンコ島台１に取り付けるための支持部６０とにより構成されている。つまり表示装置２０は、後に詳述するが、パチンコ機２が大当り状態になったとき、店員が呼出ランプ９の点滅を確認して、この大当りに対応する表示プレート２５を本体部４０に挿入して発光表示し、当該パチンコ機２の大当り状態を遊技場内の客にアピールするようになっている。
【００２６】
なお、表示装置２０は、このパチンコ機２の大当り状態の報知以外に、例えばパチンコ機２が空いていることや、遊技場が推奨するパチンコ機２や、遊技者に対する宣伝広告等の情報を報知することができるようになっている。これらの報知は、表示プレート２５に予め複数種類の文字等を印刷しておくことで対応するようになっている。例えば、パチンコ機２の大当り状態の報知は「スタート」、パチンコ機２が空いていることの報知は「空き台」、遊技場が推奨するパチンコ機２の報知は「店長おすすめ台」、遊技者に対する宣伝広告の報知は「ラッキータイム」といった具合である。即ち店員は、パチンコ機２の状況等に応じて、表示プレート２５を取り付けたり、差し替えたりするのである。なお、本実施例においては、以下、パチンコ機２の大当り状態を報知する表示プレート２５を主に説明する。
【００２７】
ここで、図２乃至図６を用いて、表示装置２０について詳しく説明する。なお、図３（Ａ）は、本体部４０の正面図、図３（Ｂ）は、本体部４０の背面図、図３（Ｃ）は、本体部４０の右側面図、図３（Ｄ）は、本体部４０の平面図、図３（Ｅ）は、本体部４０の底面図、図４（Ａ）は、支持部６０の正面図、図４（Ｂ）は、支持部６０の背面図、図４（Ｃ）は、支持部６０の右側面図、図４（Ｄ）は、支持部６０の平面図、図４（Ｅ）は、支持部６０の底面図、図５（Ａ）は、ＬＥＤ基板７０の正面図、図５（Ｂ）は、ＬＥＤ基板７０の右側面図、図６（Ａ）は、ＬＥＤ基板７０が取り付けられたときの本体部４０の背面図、図６（Ｂ）は、ＬＥＤ基板７０が取り付けられたときの本体部４０の右側面図である。
【００２８】
まず図２に示すように、表示装置２０は、パチンコ島台１の幕板７に予めビス等で螺着された支持部６０に、上方からスライドさせるようにして本体部４０に嵌合し、この本体部４０に、表示プレート２５を図２に示す矢印のように挿入して構成されるようになっている。つまり、本体部４０は、支持部６０に対し着脱自在になっており、更に表示プレート２５は、本体部４０に対し挿脱自在になっている。なお、図中１０は、後述するＬＥＤ基板７０とＬＥＤドライバ基板８０とをつなぐハーネスを通すための幕板７に穿設された孔である。
【００２９】
次に図３を参照しながら、本体部４０の構成について説明する。本体部４０は、大別するとプレート収納部４１とＬＥＤ収納部４２とから構成され、プレート収納部４１は、略直方体の薄板状に、ＬＥＤ収納部４２の中央から斜め上方に突出するように設けられており、その内部は、表示プレート２５を挿脱するための中空状の挿入口４３が形成されている。また、プレート収納部４１のＬＥＤ収納部４２側には、表示プレート２５を挿入したとき、表示プレート２５の端部と後述するＬＥＤ基板７０に設けられたＬＥＤ７１とが接触しないように、表示プレート２５を位置決めするストッパ片４７ａ，４７ｂが設けられている。
【００３０】
ＬＥＤ収納部４２は、後述するＬＥＤ基板７０を取り付けるため、内部が中空状に形成されており、側方向に形成された側壁５２ａ，５２ｂと、上側に形成された上板４９と、下側に形成され前記ＬＥＤ収納部４２と同じ傾斜の傾斜下板５０と、側壁５２ａ，５２ｂと上板４９と傾斜下板５０とに連接して形成された表板５３と、上板４９に対面し傾斜下板５０に連接する切欠部５１とを備えている。図３（Ｂ）（Ｅ）を参照して、ＬＥＤ収納部４２においてプレート収納部４１の挿入口４３と対向する箇所には、嵌合溝４４が設けられ、この嵌合溝４４の両側には段部４６ａ，４６ｂが設けられている。この嵌合溝４４は、後述するＬＥＤ取付基板７２が嵌合する箇所であり、つまりＬＥＤ基板７０のＬＥＤ７１は、嵌合溝４４にＬＥＤ取付基板７２が嵌合することによりプレート収納部４１の挿入口４３に臨むようになっている（図６（Ｂ）参照）。
【００３１】
一方、段部４６ａ，４６ｂには、後述するベース基板７３が重合するようになっており、ＬＥＤ基板７０は、ベース基板７３の一端側が側壁５２ａに突出して設けられた爪部４５ａ，４５ｂと段部４６ａとの間に挟み込まれ、他端側がビス等で段部４６ｂに螺着されることでＬＥＤ収納部４２に取り付けられている（図６（Ａ）参照）。
【００３２】
なお、側壁５２ａ，５２ｂの後端部には、外スライド片４８ａ，４８ｂと内スライド片４８ｃ，４８ｄとが突設されており、この外スライド片４８ａ，４８ｂと内スライド片４８ｃ，４８ｄとにより、後述する支持部６０の側端部６２ａ，６２ｂを嵌合してスライドさせることで、本体部４０に支持部６０を取り付けできるようになっている（図２参照）。
【００３３】
ここで図５を参照して、ＬＥＤ基板７０について説明する。ＬＥＤ基板７０は、ベース基板７３と、このベース基板７３の略中央上側にＬＥＤ取付基板７２が重合して取り付けられており、更にこのＬＥＤ取付基板７２上には、発光ダイオードとしてランプ型のＬＥＤ７１が１４個実装されている。更に詳しくは、ベース基板７３には配線パターンが施されており、ＬＥＤ７１の端子は、ＬＥＤ取付基板７２とベース基板７３のスルーホールを通過し、ベース基板７３にのみハンダ接続されている。従ってＬＥＤ７１は、その端子がＬＥＤ取付基板７２とベース基板７３とを通過することで、より強固にベース基板７３に取り付けられることになる。即ちＬＥＤ取付基板７２は、ＬＥＤ７１をＬＥＤ基板７０に強固に取り付ける機能を有する。
【００３４】
また、１４個のＬＥＤ７１は、７個の赤色ＬＥＤと７個の青色ＬＥＤとが交互に配置されており、更に、ＬＥＤ取付基板７２の表面には、ＬＥＤ７１の光を反射可能な反射層７４が設けられている。この反射層７４は、光を反射可能であれば特に限定するものではなく、例えばハンダ等の金属メッキを施すようにしても良い。
【００３５】
次に図４を参照しながら、支持部６０の構成について説明する。支持部６０は、その背面側に幕板７と当接する薄板状のベース板６３を備えており、このベース板６３は、その上部が略Ｕ字状に切り欠かれた切欠部６５が形成されている。そしてベース板６３に重合するように背板６１が形成され、この背板６１の上部は、ベース板６３と同様な切欠部６４が形成されている。この切欠部６４，６５は、パチンコ島台１の幕板７に穿設された孔１０とほぼ合致するようになっており、つまりベース板６３と背板６１とは、切欠部６４，６５とにより位置決めされてビス等により幕板７に固定されるようになっている（図２参照）。また、背板６１の両側となる側端部６２ａ，６２ｂは、ベース板６３の両側端部より突出して形成されており、この側端部６２ａ，６２ｂに本体部４０の外スライド片４８ａ，４８ｂと内スライド片４８ｃ，４８ｄが嵌合するようになっている。
【００３６】
また支持部６０の下部には、薄い平板矩形状の底板６６が形成されており、この底板６６は、その後端上面部がベース板６３及び背板６１の下端部と直角に接続されて前方に突出するように形成されている。そして底板６６の上面部には、その両側に段部６７ａ，６７ｂが設けられている。即ち、本体部４０を支持部６０に取り付ける場合、外スライド片４８ａ，４８ｂの下端部が底板６６に、内スライド片４８ｃ，４８ｄの下端部が段部６７ａ，６７ｂにそれぞれ当接するようになっており、更に切欠部５１に底板６６が嵌合して、傾斜下板５０と底板６６とが連接するようになっている。
【００３７】
次に、図７及び図８を参照しながら表示プレート２５について説明する。図７は、表示プレート２５の分解斜視図、図８（Ａ）は、表示プレート２５内部の光の経路を示す説明図、図８（Ｂ）は、表示プレート２５の点灯状態を示す説明図である。表示プレート２５は、図７に示すように、反射テープ２６と、第１プレート２７と、反射シート２８と、第２プレート２９とから構成されており、第１プレート２７と第２プレート２９とを反射シート２８を挟み込みながら重合して接着剤等で接着し、この接着した第１プレート２７と第２プレート２９との周縁部に反射テープ２６を貼着して形成する。なお、この反射テープ２６は、図８に示すように、ＬＥＤ７１が臨む箇所となる第１プレート２７と第２プレート２９との周縁部には形成されないようになっている。
【００３８】
導光板としての第１プレート２７及び第２プレート２９は、肉厚がそれぞれ略１．５ｍｍにて形成されており、その内側（反射シート２８側）には発光部としての文字部（スタート）３０がスクリーン印刷されている。この印刷に使用されるインキは、拡散反射特性を有し散乱材を含有するもので、材料としては、パール材やガラス、ビーズ顔料、白色顔料等であり、さらに拡散性や発色性を持たせ発光強度を向上させるため有機蛍光誘導体と非有機系化合物を加えるようにしても良い。具体的には、シリコーン樹脂粒子やポリスチレン樹脂粒子等の透明有機樹脂粒子、Ａｌ２Ｏ３、ＴｉＯ２、ＳｉＯ２等の金属酸化物粒子、ＢａＳＯ４等の硫酸塩粒子、ＣａＣＯ３等の炭酸塩粒子、ガラス微粉末やガラスバルーンなどの無機化合物粒子、ミクロエアーセル等が挙げられ、これらを単独で又は２種以上を併用して使用することができる。
【００３９】
反射効率やインキの印刷性等を考慮した場合、これら材料の粒子の平均粒径は０．０１〜２０μｍ程度、特に０．０５〜１μｍ程度であることが好ましく、また、光反射層中の含有量は０．５〜５０重量％程度、特に３〜２０重量％程度であることが好ましい。なお、インキ（塗料）は、アクリル樹脂、ウレタン樹脂、エポキシ樹脂等の熱硬化性樹脂、或いはアクリル系、ゴム系、エラストマー系等の粘着剤をバインダーとするものを用いることができる。
【００４０】
なお、印刷は、スクリーン印刷以外に、例えばオフセット印刷、グラビヤ印刷、凸版印刷、パッド印刷、インクジェット印刷等の印刷方式を採用でき、好ましくは第１プレート２７及び第２プレート２９の成型工程において、インライン方式で印刷するのが良い。また、印刷の厚さは、過度に薄いと光反射効率が十分でなく、逆に過度に厚くても光反射効率には大差がないにもかかわらず、印刷コストの高騰や印刷の剥離の問題も生じてくるため、これらを勘案して適切に選択するのが好ましく、通常は２０〜２００μｍ程度の厚さとすることが好ましい。
【００４１】
また、第１プレート２７及び第２プレート２９を構成する導光板の材料としては、屈折率が高い透明材料が用いられ、メタクリル樹脂（ＰＭＭＡ）、アクリル樹脂等が好ましく、それ以下以外にもプラスチック、エラストマーなどの中から目的に応じて適宜選択することができ、例えば、ポリスチレン、スチレン・メチルメタクリレート共重合体、ポリメチルペンテン、アリルグリコールカーボネート樹脂、スピラン樹脂、アモルファスポリオレフィン、ポリカーボネート、ポリアミド、ポリアリレート、ポリサルホン、ポリアリルサルホン、ポリエーテルサルホン、ポリエーテルイミド、ポリイミド、ジアリルフタレート、フッ素樹脂、ポリエステルカーボネート、ノルボルネン系樹脂（ＡＲＴＯＮ）、脂環式アクリル樹脂（オプトレッツ）、シリコーン樹脂、アクリルゴム、シリコーンゴム等の透明材料が挙げられる。
【００４２】
また、第１プレート２７及び第２プレート２９を構成する導光板（メタクリル樹脂、アクリル樹脂）の製法としては、セルキャスト製法や押出し製法があり、製造過程の違いから押出し板はキャスト板に比べ分子量が低く、物性的に耐熱温度・耐衝撃性・表面硬度などが若干劣るものの、熱成形しやすいメリットがあり、この製法についても目的に応じて適宜選択すれば良い。
【００４３】
このように表示プレート２５は、発光部としての文字部３０を印刷により形成できるので、自由な色で様々な文字やデザインを発光部として極めて容易に採用できるようになる。なお、文字部（スタート）３０等の印刷は、ＬＥＤ７１が臨む第１プレート２７及び第２プレート２９の端面（反射テープ２６が貼着されていない面）から１．５〜２ｃｍ程度間隔をあけて印刷するようにすると良い。これは、この端面にあまり近くに印刷すると、ＬＥＤ７１指向性により、印刷部がきれいに発光しないからである（つまり、ＬＥＤ７１同士の設置間隔に対応する印刷部に、ＬＥＤ７１からの光が照射されにくくなるからである）。
【００４４】
即ち最も好ましい態様は、図１１に示すように、ＬＥＤ７１からの入射光が照射されない範囲（図における斜線箇所）がプレート収納部４１内におさまるように設計することである。当該範囲がプレート収納部４１内におさまらないと、プレート収納部４１付近において表示プレート２５に光の筋が露呈する。但し、この露呈する態様であっても、文字部３０に当該範囲がかからなければ、文字部３０は均一に発光する。つまり、最も悪い態様は、文字部３０に当該範囲がかかることである。前述した説明にて文字部３０を、ＬＥＤ７１が臨む表示プレート２５の端面から１．５〜２ｃｍ程度間隔をあけて印刷するようにすると良いとしたのは、この理由からである。即ち、これらの事項を踏まえてＬＥＤ７１のピッチや指向性（視野角）、及びプレート収納部４１の幅等を設計しなければならない。また、表示プレート２５のＬＥＤ７１が臨む端面は、バフ（磨き）をかけるのが好ましく、これにより更に文字部３０の発光強度が増す。なお、図１１は、本実施例の表示装置２０の望ましい態様を示す説明図である。
【００４５】
また、ＬＥＤ７１のタイプは、表示プレート２５（導光板としての第１プレート２７及び第２プレート２９）の長さによって、その輝度や指向性を適宜選択するのが好ましく、一般的に表示プレート２５の長さが短ければ（例えば２０ｃｍ以下）、例えば視野角として４５〜６０度程度のもので、それほど輝度の高いタイプでなくても良く、さらにこの場合、ＬＥＤ７１のピッチも広めに設計することができるので（例えば２ｃｍ以上）コストダウンとなる。一方、表示プレート２５の長さが長ければ（例えば４０ｃｍ以上）、例えば視野角として２０〜３５度程度のもので、高輝度タイプのものが好ましく、この場合、ＬＥＤ７１のピッチも狭くすることが望ましい（例えば１ｃｍ以下）。このようにすると、極力コストダウンをはかりながら、表示プレート２５の発光強度を維持することができる。
【００４６】
また、第１プレート２７及び第２プレート２９の肉厚は、１．５ｍｍ以外でも良く、ほぼ１．０〜２．５ｍｍの範囲であれば良い。この範囲未満（１．０ｍｍ未満）になると、発光強度が低下し、一方、この範囲を超過（２．５ｍｍを超過）すると、発光強度は問題ないが、表示プレート２５が５．０ｍｍを超えてしまうので厚くなり、例えば店員が携帯するのに嵩張ったり、重くなったりして取り扱い上好ましくない。
【００４７】
また、反射シート２８としては白色や光沢のある色が着色されたシートであれば良く、更に文字部３０に重なる部分のみに反射シート２８を設け、それ以外の箇所に所望の背景色を施すようにしても良い。つまり反射シート２８は、文字部３０の発光強度を向上させるため、少なくとも文字部３０に重なる部分のみにあれば良いのであるが、それ以外に、背景色をつけたり、或いは本実施例のように、例えば透明なアクリル板の両側（第１プレート２７側と第２プレート２９側）から、逆向きの文字や異なるデザイン等を視認することが必要な表示プレート２５の中央の仕切としての機能もある。
【００４８】
なお、反射テープ２６は、反射シート２８と同様、白色や光沢のある色が着色されたテープであれば良く、これにより第１プレート２７及び第２プレート２９の内部を通過するＬＥＤ７１からの光を反射して表示プレート２５外部に漏れるのを防止し、文字部３０の発光強度をより向上させると共に、第１プレート２７と第２プレート２９との接着をより強固にする。
【００４９】
次に図８（Ａ）を参照して、ＬＥＤ７１が後述するＬＥＤドライバ基板８０の制御により所定の態様で点灯すると、ＬＥＤ７１から発せられた光は、一例として光線３１に示すように表示プレート２５の内部を通過し、表示プレート２５の縁部に到達した光線３１は、反射テープ２６により反射して再び表示プレート２５の内部を通過する。そして、このような経路を辿る過程で光線３１が文字部３０に到達すると、前記した文字部３０に印刷されているインキの拡散反射特性等により図１２に示すように拡散した反射光３２が発生し、図８（Ｂ）に示すように、文字部３０が発光する。なお、図１２は、ＬＥＤ７１から入射された光線３１が文字部３０にて反射する状態を示す説明図である。
【００５０】
次に、図９を参照しながら表示装置２０の制御回路について説明する。図９は、表示装置２０における制御回路の要部ブロック図である。表示装置２０の制御回路は、主にＬＥＤ基板７０とＬＥＤドライバ基板８０とで構成され、ＬＥＤドライバ基板８０は、図示しない電源回路、ＣＰＵ８１、入力回路８２、出力回路８３、及びこれらを接続するバス８４を備えており、図示しない電源からの電気の供給を電源回路で受け、入力回路１０１を介して取得したデイップスイッチ８５からの信号に基づいて、ＣＰＵ８１が出力回路８３に接続されているＬＥＤ基板７０及びＬＥＤ取付基板７２に取り付けられているＬＥＤ７１を点灯制御する。なお、図示していないがＣＰＵ８１は、ＬＥＤ７１を制御するための制御プログラムが格納されたＲＯＭ及び制御プログラムを実行するためのワークエリアとしてのＲＡＭが内蔵されている。
【００５１】
なお、ＬＥＤドライバ基板８０は、図示していないが、本体部４０や支持部６０とは分離されて欄間８後方のパチンコ島台１を構成する島柱に取り付けられており、従ってデイップスイッチ８５は、店員が欄間８を開いて操作することで設定できるようになっている。このようにすると、遊技場内の客が勝手にデイップスイッチ８５を操作することを防止することができる。さらにＬＥＤドライバ基板８０と本体部４０とは分離されているものの近い距離にあるので、配線等を短くでき、従って取付工事が容易となり、ノイズ等の影響も最小限に抑止することができる。
【００５２】
また、デイップスイッチ８５の数は特に限定するものではなく、ＬＥＤ７１の点灯態様に応じて設けるようにすれば良い。例えば点灯態様として、消灯、点灯、点滅、グラデーション（ゆっくりと点滅する態様）等があり、さらに本実施例では７個の赤色ＬＥＤと７個の青色ＬＥＤとがあるので、赤色ＬＥＤまたは青色ＬＥＤのみ、或いは赤色ＬＥＤと青色ＬＥＤを同時に点灯制御したり、所定の順序で個別にＬＥＤを点灯制御するようにしても良い。
【００５３】
ここで、遊技場における表示装置２０の具体的な実施態様について説明する。まず表示装置２０をパチンコ島台１に設置するには、各パチンコ機２に対応する幕板７の所定箇所に孔１０を穿設し、次に図２に示すように、切欠部６４，６５を孔１０に宛がい、支持部６０を幕板７にビス等で螺着する。そして外スライド片４８ａ，４８ｂと内スライド片４８ｃ，４８ｄとを背板６１の側端部６２ａ，６２ｂに嵌合し、外スライド片４８ａ，４８ｂ及び内スライド片４８ｃ，４８ｄが底板６６及び段部６７ａ，６７ｂに当接するまで上方からスライドさせて、本体部４０を支持部６０に取り付け、ビス等で螺着する。この際、本体部４０に内蔵されたＬＥＤ基板７０からの図示しないハーネスを予め孔１０に挿入してから、本体部４０を支持部６０に取り付けるようにする。
【００５４】
一方、ＬＥＤドライバ基板８０は、各欄間８後方のパチンコ島台１の図示しない所定の島柱に、デイップスイッチ８５が表側になるように設置し、その後ＬＥＤ基板７０からの図示しないハーネスをコネクタを介して接続すると共に、図示しない電源部（１００Ｖ或いは２４Ｖ）と所定の接続方法にて接続する。この際、デイップスイッチ８５は、ＬＥＤ７１が消灯するように設定しておく。
【００５５】
しかして、遊技者がパチンコ機２を遊技して大当りになった場合には、パチンコ機２からの大当り信号により呼出ランプ９が自動的に点滅し、これを確認した店員が大当り状態を報知するための「スタート」と印刷された表示プレート２５を持参し、当該パチンコ機２に対応する本体部４０の挿入口４３に表示プレート２５を、ストッパ片４７ａ，４７ｂに当接するまでスライドさせながら挿入する。この際、店員は、欄間８を開いてデイップスイッチ８５を操作し、大当り用の点灯態様（例えば青色ＬＥＤと赤色ＬＥＤとの交互点滅）に設定する。これにより、「スタート」と印刷された表示プレート２５は、その文字部３０のみが所定の色と点灯態様にて発光し、その結果、当該パチンコ機２の大当り状態を遊技場内の客にアピールすることができる。
【００５６】
その後、当該パチンコ機２の大当り状態が終了すると、呼出ランプ９が自動的に消灯し、これを確認した店員が本体部４０の挿入口４３から表示プレート２５を抜き、欄間８を開いてデイップスイッチ８５を操作し、ＬＥＤ７１が消灯するように設定する。なお、この大当り状態以外に遊技場が所望する文字やデザイン等を表示プレート２５に印刷しておき、店員が適宜表示プレート２５を装着したり、取り外したり、或いは差し替えたりするようにすれば良い。
【００５７】
以上説明したように、本実施例の表示装置２０においては、パチンコ機２が大当り状態になったとき等に、遊技場が所望する文字やデザイン等の表示プレート２５を、駆動装置（電源）と電気的に接続することなく、本体部４０の挿入口４３に挿入するだけの極めて容易な作業で発光表示することができる。しかも表示プレート２５の発光部としての文字部３０を印刷により形成できるので、様々な文字やデザインを採用でき、更に文字部３０の印刷色とＬＥＤ７１の発光色を適宜設定することで、所望する色にて表示プレート２５を発光することが可能となる。
【００５８】
なお、本実施例の表示装置２０は、上述した構成以外にも種々考えられ、例えば表示装置２０は、第１プレート２７及び第２プレート２９に直接、文字部（スタート）３０を印刷するようにしたが、文字部（スタート）３０の形にカットしたカッティングシートに当該印刷を施し（若しくは既に印刷されているシートをカットしても良い）、このカッティングシートを第１プレート２７及び第２プレート２９に貼着する構成や、或いは、第１プレート２７及び第２プレート２９と同じ形にカットしたフィルム状のシートに文字部（スタート）３０を印刷し、このフィルム状のシートを第１プレート２７及び第２プレート２９に貼着する構成としても良い。このようにすると、表示装置２０の文字やデザイン等を、シート（カッティングシートまたはフィルム状のシート）を剥がしたり貼ったりするだけの作業で極めて容易に変更することが可能となる。
【００５９】
また、デイップスイッチ８５の設定は、大当り用の点灯態様等、多くの発生が予想される点灯態様に予め設定しておいても良く、また更に、デイップスイッチ８５を省略し、リモコン装置によりＬＥＤ７１の点灯態様を設定するようにしても良い。このようにすると、更に店員の作業が簡略化される。
【００６０】
また、ＬＥＤ取付基板７２を省略し、ＬＥＤ７１を直接ＬＥＤ基板７０に取り付けるようにしても良い。この場合、反射層７４は、ＬＥＤ基板７０に直接形成すれば良い。また、ＬＥＤ７１は、青色や赤色のＬＥＤに限らず、白色や緑色、或いはフルカラーのＬＥＤを採用しても良く、更にランプ型に限らず、表面実装型のチップＬＥＤであっても良い。また更に、ＬＥＤドライバ基板８０は、ＬＥＤ基板７０と１対１で設けるようにしたが、これは例えば、ＬＥＤ基板７０と１対４等、複数のＬＥＤ基板７０に対して１つのＬＥＤドライバ基板８０を設けるようにしても良い。このようにすると、ＣＰＵ８１等が共用でき、ＬＥＤドライバ基板８０のコストダウンが図れる。
【００６１】
また、発光部としての文字部３０は、文字部３０を印刷するのではなく、レーザ加工や彫刻機にて表示プレート２５に直接エッチングを施して文字部３０を形成しても良い。このようにすると、前記したインキにて印刷する場合に比べ、発光強度や色の自由度は劣るものの、ＬＥＤ７１から発せられた光は、エッチングにより削られた箇所に当たって乱反射し、文字部３０が発光するようになる。
【００６２】
なお、本実施例では、文字部３０を表示プレート２５の両面に設けたが、これは片面のみに設けるようにしても良い。この場合には、第１プレート２７または第２プレート２９の何れかと、反射シート２８は省略できる。また、本実施例では、文字部３０に印刷された「スタート」の読む方向を両面共に順方向から読むようにしたが、これは何れかの面を逆方向から読むようにしても良い。このようにすると、反射シート２８を省略することで、例えば透明なアクリル板（第１プレート２７及び第２プレート２９）の中に、文字部３０が浮かぶようにして表示プレート２５発光することができる。
【００６３】
また、反射テープ２６を省略しても良く、このようにした場合には、文字部３０の発光強度は若干弱まるものの、表示プレート２５のエッジを光らせることができる。
【００６４】
また、本実施例では、挿入口４３の位置を固定して設けるようにしたが、例えば挿入口４３の位置を上下左右方向に可動できるようにしたり、プレート収納部４１の突出角度を自在に変更できるようにすると良い。このようにすると、遊技場の所望する位置や角度にて表示プレート２５を設置できるようになり、使い勝手が良くなる。但し、このように挿入口４３の位置やプレート収納部４１の角度を変更可能にした場合であっても、表示プレート２５をプレート収納部４１に挿着したとき、表示プレート２５の挿入端がＬＥＤ７１に臨むように構成する必要はある。
【００６５】
また、本実施例では、表示装置２０はパチンコ島台１の幕板７に設けるようにしたが、これは限定することなく、例えばパチンコ島台１の欄間８や台間ユニット３等、パチンコ島台１であってパチンコ機２の近傍であれば良い。また更に表示装置２０は単独でパチンコ島台１に設けるようにしたが、表示装置２０を呼出ランプ９と一体的に形成してパチンコ島台１に設けるようにしても良い。このようにすると、呼出ランプ９に入力されるパチンコ機２からの遊技情報信号、例えば大当り信号等に合わせて、所定の点灯態様にてＬＥＤ７１を発光させることができ、これにより所定の態様にて表示プレート２５を点灯することが可能となる。その結果、デイップスイッチ８５の設定数を減少させたり、延いてはデイップスイッチ８５自体を省略することも可能となる。
【００６６】
また、表示装置２０は、所定時間が経過すると自動的に点灯態様を変化させるようにしても良い。例えば、朝、昼、夜で点灯色を、それに合った色調に変更すること等が挙げられる。また、表示装置２０は、パチンコ機２に対応して複数設けても良く、このようにした場合には、交互点滅や同時点滅等、さらに点灯態様を増やすようにすると良い。
【００６７】
なお、表示プレート２５の発光色は、文字部３０の印刷色とＬＥＤ７１の発光色（波長）とにより決定され、一般的に、文字部３０の印刷色が無色や白色であれば、ほぼＬＥＤ７１の発光色が表示プレート２５の発光色となり、逆に文字部３０の印刷色が有色であれば、ほぼ文字部３０の印刷色とＬＥＤ７１の発光色とを混合した色が表示プレート２５の発光色となり、またＬＥＤ７１の発光色が白色であれば、ほぼ文字部３０の印刷色が表示プレート２５の発光色となる。なお、文字部３０の印刷色が黒色（若しくはそれに近い色）の場合には、ＬＥＤ７１の発光色に拘わらず黒となる。また、表示プレート２５の発光強度も、文字部３０の印刷色とＬＥＤ７１の発光色（波長）とにより決定され、その関係は図１０に示すとおりである。なお、図１０は、印刷の発光強度におけるＬＥＤ７１の発光色（波長）と文字部３０の印刷色との関係を示す説明図である。
【００６８】
次に特許請求の範囲の構成と、本発明の実施形態との主な対応を説明する。遊技機はパチンコ機２に、表示装置は表示装置２０に、表示プレートは表示プレート２５に、導光板は第１プレート２７または第２プレート２９に、所定の文字やデザインは文字部（発光部）３０に、光源はＬＥＤ７１に、プレート支持手段は本体部４０及び支持部６０に、挿入口は挿入口４３に、基板はＬＥＤ取付基板７２（ＬＥＤ基板７０）に、反射層は反射層７４に、制御手段はＬＥＤドライバ基板８０に、点灯設定手段はデイップスイッチ８５またはリモコン装置に、島台はパチンコ島台１に、支持部は支持部６０に、本体部は本体部４０に、ストッパ手段はストッパ片４７ａ，４７ｂに、第１プレートは第１プレート２７に、第２プレートは第２プレート２９に、反射シートは反射シート２８に、反射テープは反射テープ２６にそれぞれ相当する。
【図面の簡単な説明】
【００６９】
【図１】本実施例のパチンコ島台１の斜視図である。
【図２】本実施例の表示装置２０の分解斜視図である。
【図３】本実施例の本体部４０の六面図であり、図３（Ａ）は正面図、図３（Ｂ）は背面図、図３（Ｃ）は右側面図、図３（Ｄ）は平面図、図３（Ｅ）は底面図である。
【図４】本実施例の支持部６０の六面図であり、図４（Ａ）は正面図、図４（Ｂ）は背面図、図４（Ｃ）は右側面図、図４（Ｄ）は平面図、図４（Ｅ）は底面図である。
【図５】図５（Ａ）は、本実施例のＬＥＤ基板７０の正面図、図５（Ｂ）は、本実施例のＬＥＤ基板７０の右側面図である。
【図６】図６（Ａ）は、ＬＥＤ基板７０が取り付けられたときの本実施例の本体部４０の背面図、図６（Ｂ）は、ＬＥＤ基板７０が取り付けられたときの本実施例の本体部４０の右側面図である。
【図７】本実施例の表示プレート２５の分解斜視図である。
【図８】図８（Ａ）は、本実施例の表示プレート２５内部の光の経路を示す説明図、図８（Ｂ）は、本実施例の表示プレート２５の点灯状態を示す説明図である。
【図９】本実施例の表示装置２０における制御回路の要部ブロック図である。
【図１０】本実施例の印刷の発光強度におけるＬＥＤ７１の発光色（波長）と文字部３０の印刷色との関係を示す説明図である。
【図１１】本実施例の表示装置２０の望ましい態様を示す説明図である。
【図１２】本実施例のＬＥＤ７１から入射された光線３１が文字部３０にて反射する状態を示す説明図である。
【符号の説明】
【００７０】
１…パチンコ島台、  ２…パチンコ機、  ３…台間ユニット、  ４…カウンタ、
５…腰板、  ６…巾木、  ７…幕板、  ８…欄間、  ９…呼出ランプ、  １０…孔、
２０…表示装置、  ２５…表示プレート、  ２６…反射テープ、
２７…第１プレート、  ２８…反射シート、  ２９…第２プレート、
３０…文字部（発光部）、  ３１…光線、  ３２…反射光、  ４０…本体部、
４１…プレート収納部、  ４２…ＬＥＤ収納部、  ４３…挿入口、  ４４…嵌合溝、
４５ａ，４５ｂ…爪部、  ４６ａ，４６ｂ…段部、  ４７ａ，４７ｂ…ストッパ片、
４８ａ，４８ｂ…外スライド片、  ４８ｃ，４８ｄ…内スライド片、  ４９…上板、
５０…傾斜下板、  ５１…切欠部、  ５２ａ，５２ｂ…側壁、
５３…表板、  ６０…支持部、  ６１…背板、  ６２ａ，６２ｂ…側端部、
６３…ベース板、  ６４、６５…切欠部、  ６６…底板、  ６７ａ，６７ｂ…段部、
７０…ＬＥＤ基板、  ７１…ＬＥＤ（発光ダイオード）、  ７２…ＬＥＤ取付基板、
７３…ベース基板、  ７４…反射層、  ８０…ＬＥＤドライバ基板、  ８１…ＣＰＵ、
８２…入力回路、  ８３…出力回路、  ８４…バス、  ８５…ディップスイッチ。
【図１】
2005287987.tif 000003
【図２】
2005287987.tif 000004
【図３】
2005287987.tif 000005
【図４】
2005287987.tif 000006
【図５】
2005287987.tif 000007
【図６】
2005287987.tif 000008
【図７】
2005287987.tif 000009
【図８】
2005287987.tif 000010
【図９】
2005287987.tif 000011
【図１０】
2005287987.tif 000012
【図１１】
2005287987.tif 000013
【図１２】
2005287987.tif 000014